(57)【要約】容器カートリッジ入りフィルタはフィルタカートリッジと容器を含む。フィルタカートリッジはフィルタカートリッジがフィルタ容器に取り付けられ、容器がフィルタヘッドから容器カートリッジ入りフィルタを取り外す方向に回転されるときにフィルタ容器に噛み合うように配置される連動装置を含む。フィルタ容器は、フィルタカートリッジを連動装置に追動させるための協働連動装置を含む。実施例は歯部の構成を含み、この構成は多くの突出した歯部を含む。この歯部の様々な形状品が可能であり、歯部形状には家形、端が欠けたＡ形、パイの形およびくさび形がある。
2004532101.tif 000002
【特許請求の範囲】
【請求項１】
容器カートリッジ入りフィルタで使用されるフィルタカートリッジにおいて、前記容器カートリッジ入りフィルタは、第１方向の回転によってフィルタヘッドに対して動作可能に装着され、反対の第２方向の回転によって前記フィルタヘッドから取り外され、前記容器カートリッジ入りフィルタは、フィルタ容器と、前記フィルタ容器に対する選択的な取り付けと取り外しのためのフィルタカートリッジを含み、前記フィルタカートリッジは、
(ａ)  濾過媒体の延設部であって、前記延設部は、第１端部と反対の第２端部を有し、
(ｂ)  前記濾過媒体の前記延設部の前記第１端部に固定される第１端部キャップと、
(ｃ)   そして、前記濾過媒体の前記延設部の前記第２端部に固定される第２端部キャップであって、前記第２端部キャップは外側の周辺壁部を含み、
（ｉ）前記第２端部キャップの前記外側の周辺壁部は、前記容器に係合するように構成および配置されたフィルタカートリッジ連動装置とを含み、前記フィルタカートリッジが前記フィルタ容器に取り付けられ、前記フィルタヘッドから前記容器カートリッジ入りフィルタを取り外すときに、前記フィルタ容器が前記第２方向に回転され、
（ｉｉ）前記外側の周辺壁部と前記フィルタカートリッジ連動装置は、前記濾過媒体を取り囲むことを特徴とする容器カートリッジ入りフィルタで使用されるフィルタカートリッジ。
【請求項２】
(ａ)  前記フィルタカートリッジ連動装置は、前記外側面から延設される少なくとも第１歯部と第２歯部を含み、前記フィルタカートリッジが前記フィルタ容器に取り付けられて、前記フィルタ容器が前記フィルタヘッドから前記容器カートリッジ入りフィルタを取り外すために、前記第２方向に回転されるときに前記第１歯部と前記第２歯部とが前記フィルタ容器にそれぞれ噛み合うように配置されることを特徴とする請求項１に記載のフィルタカートリッジ。
【請求項３】
(ａ)  それぞれの前記第１歯部と前記第２歯部は、第１端側面と第２端側面と、横側面と、 かかと部と足指部とを含み、
(ｉ)  前記第１端側面と前記第２端側面とは、前記かかと部から前記足指部まで延設され、
（ｉｉ）前記横側面は、前記かかと部から前記足指部まで延設され、前記第１端側面と前記第２端側面のそれぞれで交差し、
（ｉｉｉ）そして、前記足指部は、少なくとも前記第１端側面から延設され前記第１端側面に対して傾斜した角度を有する第１斜面を少なくとも含むことを特徴とする請求項２に記載のフィルタカートリッジ。
【請求項４】
(ａ)  前記第１歯部と前記第２歯部の前記第１端側面と前記第２端側面と前記横側面のそれぞれは、前記第２端部キャップの前記外側面に対して垂直に位置されることを特徴とする請求項２または３に記載のフィルタカートリッジ。
【請求項５】
（ａ)  前記第１歯部と前記第２歯部のそれぞれの前記足指部は、少なくとも前記第２端側面から延設され前記第２端側面に対して傾斜した角度を有する第２斜面を少なくとも含み、
（ｂ）前記第１歯部と前記第２歯部の前記第１斜面は、前記第１歯部と前記第２歯部の第１端側面に相対して角度１０〜６０度で位置し、
（ｃ）そして、前記第１歯部と前記第２歯部の前記第２斜面は、前記第１歯部と前記第２歯部の第２端側面に相対して角度１０〜６０度で位置することを特徴とする請求項２乃至４のいずれか１項に記載のフィルタカートリッジ。
【請求項６】
(ａ)  前記フィルタカートリッジ連動装置は、少なくとも３つの歯部を含み、前記歯部のそれぞれは、
(ｉ)  第１端側面と、第２端側面と、横側面と、かかと部と足指部とを含み、
（Ａ）前記第１端側面と前記第２端側面のそれぞれは、各かかと部から各足指部まで延設され、
（Ｂ）前記横側面のそれぞれは、各かかと部から各足指部まで延設され、各第１端側面と第２端側面で交差し、
（Ｃ）前記足指部のそれぞれは、前記各第１端側面から延設される第１斜面と、前記第２端側面から延設される第２斜面とを含むことを特徴とする請求項２乃至５のいずれか１項に記載のフィルタカートリッジ。
【請求項７】
(ａ)  前記第２端部キャップは、環状部分と端部壁とを含み、
(ｉ)  前記端部壁は、軸方向面を規定し、
（ｉｉ）前記周囲壁は、前記環状部分を規定することを特徴とする請求項２乃至６のいずれか１項に記載のフィルタカートリッジ。
【請求項８】
（ａ)  前記第１歯部と前記第２歯部のそれぞれは、前記環状部分から延設されることを特徴とする請求項７に記載のフィルタカートリッジ。
【請求項９】
(ａ)  前記第１歯部と前記第２歯部のそれぞれは、前記軸方向面から延設されることを特徴とする請求項７に記載のフィルタカートリッジ。
【請求項１０】
(ａ)  前記濾過媒体の前記延設部は筒状であり、
(ｂ)  前記濾過媒体はセルロースを含み、
(ｃ) そして、前記濾過媒体は、ウレタンの充填により前記第１端部キャップと前記第２端部キャップに接着されることを特徴とする請求項１乃至９のいずれか１項に記載のフィルタカートリッジ。
【請求項１１】
第１方向の回転によってフィルタヘッドに対して動作可能に装着され、反対の第２方向の回転によって前記フィルタヘッドから取り外されるように構成された容器カートリッジ入りフィルタ構成であって、前記容器カートリッジ入りフィルタは請求項１に記載の構成を具備し、前記容器カートリッジ入りフィルタは、
(ａ)  内面を有するフィルタ容器であって、前記フィルタ容器は前記内面から延設されるフィルタ容器連動装置を含み、
(ｉ)  前記フィルタ容器連動装置は、少なくとも第１歯部を含み、
（Ａ）前記第１歯部は、端部側面と、かかと部と、傾斜面とを含み、前記端部側面は、足指部を含み、前記傾斜面は、少なくとも部分的に前記かかと部から前記足指部に延設され、前記傾斜面と相対的に斜めの角度を有し、
(ｂ) 前記フィルタカートリッジは、前記フィルタ容器から選択的に取り外しできるように動作可能に取り付けられ、
(ｉ)  前記容器カートリッジ入りフィルタを前記フィルタヘッドから取り外すために前記第２方向に回転されたときに、前記フィルタ連動装置は、前記フィルタ容器連動装置の前記第１歯部に係合することを特徴とする容器カートリッジ入りフィルタ構成。
【請求項１２】
(ａ)  前記フィルタカートリッジ連動装置は、少なくとも前記外側面から延設される第１歯部を含み、
(ｉ)  前記容器カートリッジ入りフィルタが前記フィルタヘッドから前記容器カートリッジ入りフィルタを取り外すために前記第２方向に回転されるときに、前記フィルタカートリッジ連動装置の前記第１歯部は、前記フィルタ容器連動装置の前記第１歯部に係合することを特徴とする請求項１１に記載の容器カートリッジ入りフィルタ構成。
【請求項１３】
(ａ)  前記フィルタカートリッジ連動装置の前記第１歯部は、第１端部側面と、横側面と、足指部と、かかと部を含み、
(ｉ)  前記フィルタカートリッジ連動装置の前記第１歯部の前記第１端部側面は、前記フィルタカートリッジ連動装置の前記第１歯部の前記かかと部から前記足指部まで延設され、
（ｉｉ）前記フィルタカートリッジ連動装置の前記第１歯部の前記横側面は、前記かかと部から前記足指部まで延設され、前記フィルタカートリッジ連動装置の前記第１歯部の前記第１端部側面と交差し、
（ｉｉｉ）前記フィルタカートリッジ連動装置の前記第１歯部の前記足指部は、前記フィルタカートリッジ連動装置の前記第１歯部の前記第１端部側面に相対的に傾斜した角度で設けられ、前記第１端部側面から延設される傾斜面を、少なくとも含むことを特徴とする請求項１２に記載の容器カートリッジ入りフィルタ構成。
【請求項１４】
(ａ)  前記容器カートリッジ入りフィルタが前記フィルタヘッドから前記容器カートリッジ入りフィルタを取り外すために前記第２方向に回転されるときに、前記フィルタカートリッジ連動装置の前記第１歯部の前記第１端部側面が、前記フィルタ容器連動装置の前記第１歯部に前記端部側面に係合するように配置されることを特徴とする請求項１３に記載の容器カートリッジ入りフィルタ構成。
【請求項１５】
(ａ)  前記フィルタ容器連動装置はさらに第２歯部を含み、
(ｉ)  前記第２歯部は、端部側面と、かかと部および傾斜面を含み、
前記第２歯部の前記端部側面は、足指部を含み、前記第２歯部の前記傾斜面は、前記第２歯部の前記かかと部から第２歯部の前記足指部にかけて少なくとも部分的に延設され、前記第２歯部の前記端部側面に相対的に傾斜した角度で設けられることを特徴とする請求項１３に記載の容器カートリッジ入りフィルタ構成。
【請求項１６】
(ａ)  前記フィルタカートリッジ連動装置はさらに第２歯部を含み、前記フィルタカートリッジ連動装置の前記第２歯部は、第１端部側面と、横側面と、かかと部と足指部とを含むことを特徴とする請求項１５に記載の容器カートリッジ入りフィルタ構成。
【請求項１７】
(ａ)  前記フィルタカートリッジ連動装置の前記第１歯部の前記第１端部側面は、前記フィルタ容器連動装置の前記第１歯部の前記歯部の前記端部側面に係合するように配置され、そして、前記容器カートリッジ入りフィルタが前記フィルタヘッドから前記容器カートリッジ入りフィルタを取り外すために、前記第２方向に回転されるときに、前記フィルタカートリッジ容器連動装置の前記第２歯部の前記側面に係合するように前記フィルタ連動装置の前記第２歯部の前記第１端部側面が配置されることを特徴とする請求項１６に記載の容器カートリッジ入りフィルタ構成。
【請求項１８】
(ａ)  前記フィルタカートリッジ連動装置は少なくとも３つの歯部を含み、前記フィルタカートリッジ連動装置の前記歯部のそれぞれは、
（ｉ）第１端部側面と、第２端部側面と、横側面と、かかと部と、足指部を含み、
（ｉｉ）前記フィルタカートリッジ連動装置の少なくとも３つの前記歯部の前記第１端部側面と、前記第２端部側面と、前記横側面は、前記かかと部から前記足指部にかけて延設され、
（ｉｉｉ）前記フィルタカートリッジ連動装置の少なくとも３つの前記歯部のそれぞれの足指部は、各第１端部側面と第２端部側面から延設される第１傾斜面と第２傾斜面とを備え、そして、
(ｂ) 前記フィルタ容器連動装置は、少なくとも３つの歯部を含み、前記フィルタ容器連動装置のそれぞれの歯部は、
(ｉ)  端部側面と、傾斜面と、かかと部と、
（ｉｉ）前記フィルタカートリッジ容器連動装置の少なくとも３つの前記歯部のそれぞれの前記端部側面は、足指部を含み、
(ｉｉｉ)  前記フィルタ容器連動装置の少なくとも３つの歯部の前記傾斜面は、少なくとも前記かかと部から前記足指部に一部が延設され、前記横側面に対して傾斜した角度を有することを特徴とする請求項１２に記載の容器カートリッジ入りフィルタ構成。
【請求項１９】
(ａ)  前記フィルタ容器は、開口端部と閉口端部とを含み、前記フィルタ容器連動装置は前記閉口端部の前記内面から延設されることを特徴とする請求項１１乃至１８のいずれか１項に記載の容器カートリッジ入りフィルタ構成。
【請求項２０】
(ａ)  前記フィルタ容器は、前記開口端部の近傍において前記フィルタヘッドに対して解除可能に取り付けるためのねじ山領域を含むことを特徴とする請求項１９に記載の容器カートリッジ入りフィルタ構成。
【請求項２１】
フィルタヘッドの上に動作可能に装着される容器カートリッジ入りフィルタを保守する方法であって、前記容器カートリッジ入りフィルタは、フィルタ容器と選択的に前記フィルタ容器から移動可能なカートリッジフィルタとを含み、前記カートリッジフィルタは第１端部キャップと対向する第２端部キャップの間の濾過媒体の延設部分を含み、前記容器カートリッジ入りフィルタを保守する方法は、
(ａ)  前記フィルタヘッドから前記フィルタ容器を取り外すために、前記フィルタヘッドに対して前記フィルタ容器を回転させる工程と、
(ｂ)  前記フィルタヘッドに対して前記フィルタ容器を回転するのと同時に、前記カートリッジフィルタを前記フィルタヘッドから解除するために前記カートリッジフィルタを回転させる工程であって、
(ｉ)  同時にフィルタヘッドに対してフィルタカートリッジを回転させる前記工程は、前記フィルタ容器の第１端部キャップと第２端部キャップの一方から延設される連動装置に対して前記フィルタ容器の連動装置を回転の運動を得るように付勢し、
（Ａ）前記連動装置は、前記濾過媒体を取り囲む前記第１端部キャップと前記第２端部キャップの一方の上に配置されることを特徴とする方法。
【発明の詳細な説明】
【技術分野】
【０００１】
本出願は、米国を除いたすべての国を指定して２００２年３月２８日にＰＣＴ国際特許出願として、米国居住のドナルドソン  カンパニー  インコーポレイティドの出願人により出願されたものである。この開示は一般的に、油系統と油圧系と燃料系を含む液体の浄化装置に特に関係する。この開示では、さらに構成と組立帯を使用に係るものである。
【背景技術】
【０００２】
フィルタは、内燃機関のための潤滑系統と燃料系統および頑丈な機械設備のための油圧系統に関連して一般的に使用される。また、フィルタは他の多くのタイプの液体系統において使用される。これらの形式の系統において、フィルタは定期的に交換される。従来技術による標準タイプとして使用される内の一つに、容器(bowl)カートリッジ入りフィルタがある。
【０００３】
このすべてのカートリッジフィルタは、取り替え可能なカートリッジフィルタ(フィルタエレメント)を保持する繰り返し使用可能な容器を通常含んでいる。この容器カートリッジ入りフィルタは、フィルタヘッドに取り付けられ、この状態において浄化されるべき液体が、フィルタヘッドを通りぬけ、容器内に入り、取り替え可能なカートリッジフィルタを通り、容器の外に出て、そしてフィルタヘッドに戻るように構成されている。一定の使用期間の経過後に、容器カートリッジ入りフィルタはフィルタヘッドから取り外され、取り替え可能なカートリッジフィルタが再利用できる容器から取り外される。古いカートリッジフィルタは捨てられる一方、新しいカートリッジフィルタに取り替えられる。新しいカートリッジフィルタは、新しい状態を提供するために再利用できる容器に動作可能に取り付けられる。この新しいカートリッジフィルタを含む新しい状態の容器カートリッジ入りフィルタは、フィルタヘッドに取り付けられる。
【０００４】
＜概要＞
容器カートリッジ入りフィルタにおいてフィルタカートリッジと容器を有する構成が開示される。このフィルタカートリッジは、フィルタカートリッジがフィルタ容器に取り付けられて、この容器がフィルタヘッドから容器カートリッジ入りフィルタを取り外すための方向に回転されるときに、フィルタ容器に対して噛み合うように配置される連動装置を含む。
【０００５】
望ましくは、フィルタ容器はフィルタカートリッジに設けられた連動装置に係合する協働連動装置を含む、
整備点検の保守方法と、使用方法とその構造について提供される。
【発明を実施するための最良の形態】
【０００６】
Ａ．既存の構成の問題点
容器カートリッジ入りフィルタを利用する典型的なシステムでは容器カートリッジフィルタは、回転可能になるようにしてフィルタヘッドに固定される。一区切りの使用後において、容器カートリッジ入りフィルタを保守することが必要になるであろう。この作業は、フィルタヘッドから容器カートリッジフィルタを取り外し、次に容器からフィルタカートリッジを取り外すことによって行われる。フィルタカートリッジは、新しいフィルタカートリッジに取り替えられ、廃棄される。そして、新しくされた容器カートリッジ入りフィルタがフィルタヘッドに再装着される。
【０００７】
この容器カートリッジ入りフィルタが、フィルタヘッドから取り外されるときに、時々はカートリッジフィルタはフィルタヘッドに取り付けたままの状態に放置される場合がある。この状態では、カートリッジフィルタの流体は環境中に垂れてこぼれ落ちることになる。
【０００８】
このために改善が望まれている。ここに記述される構成は、上述の問題などのように容器カートリッジ入りフィルタと関連づけられる問題点と他の問題点を解消するために役立つものである。
【０００９】
Ｂ．図１〜図１２に示す構成
本発明に従って組み立てられる改良された容器カートリッジ入りフィルタに関する実施例について、図１の立体分解図に例証されている。フィルタヘッド２２と容器カートリッジ入りフィルタ２４を含む濾過システム２０について図示されている。容器カートリッジ入りフィルタ２４がフィルタヘッド２２に対して固定されている様子が示されており、通常は、容器カートリッジ入りフィルタ２４をフィルタヘッド２２に対して回転するか別の方法で回転することで固定される。通常、この容器カートリッジ入りフィルタ２４はねじ山の螺合接続によってフィルタヘッド２２に固定される。このフィルタヘッド２２は従来から知られたフィルタヘッドから構成されるであろう。一般に、フィルタヘッド２２は液体入口２６と液体出口２８を含む。浄化されるべき液体は、この液体入口２６を通り、次に容器カートリッジ入りフィルタの中に流れ込み、液体浄化のために濾過媒体を通り抜けてから、フィルタヘッド２２に戻り、最終的にフィルタヘッドの流体出口２８を通って浄化された状態で外に流れ出る。
【００１０】
図２の立体分解図に図示された容器カートリッジ入りフィルタ２４の構成に戻る。ここに図示された容器カートリッジ入りフィルタ２４は、内部に移動可能でかつ取替え可能であり、使い捨てのフィルタカートリッジ３２を保持する缶かフィルタ容器３０を含む。この容器カートリッジ入りフィルタ２４は、内部ライナと、サポートまたは中心管３４を含む。また、この特定の構成では封止リング３６がさらに設けられている。
【００１１】
図１と図２を参照することで、望ましくは、この容器３０はフィルタヘッド２２に対して容器３０を着脱するときの握り易さと操作性の向上のために容器３０の外の表面４０に沿う複数の溝部３８を含むことが理解されよう。また、図２から容器３０の内部の表面４６に沿う一連のねじ山領域４２を含むことにより、フィルタ容器３０を動作可能にするようにフィルタヘッド２２に対して螺合接続できることが分かる。
【００１２】
図２を参照すると、フィルタカートリッジ３２の基本的ないくつかの特徴点が図示されている。一般に、図示された好適なフィルタカートリッジ３２は、第１端部キャップ５０と第２端部キャップ５２の間に延設される濾過媒体４８を含む。この濾過媒体４８は、そこを通り抜ける液体を浄化するために、液体中に粒子状物質の通過を禁止するように機能することで、容器カートリッジ入りフィルタ２４を通過する液体の浄化または清浄化を行う。
【００１３】
このフィルタカートリッジ３２と容器３０は、この容器３０がフィルタヘッド２２から回転されるときに、フィルタカートリッジ３２が容器３０と共に回転してフィルタヘッド２２から確実に取り外せるように、互いに協働するように構成されている。この協働作用について以下のように詳細に説明する。
【００１４】
ここで、図３を参照して、容器カートリッジ入りフィルタ２４の横断面図が模式的に表現されている。本図から分かるように、図示された容器３０は形状的に概ね筒状であり、開口内部５４を規定している。この容器３０は、さらに閉じた端部５６と開口端部５８を含む。図３に図示のものでは、開口端部５８は、ねじ山領域４２に隣接している。この開口端部５８は、そこからフィルタカートリッジ３２の装着と取り外しを可能にするために開口している開口内部５４に近づくことを許容する。
【００１５】
封止リング３６は、フィルタヘッド２２と容器カートリッジ入りフィルタ２４の間で、望ましくは容器３０の内部の表面４６を裏打ちするように周辺に設けられ、液体の漏出を禁止するようにフィルタヘッド２２との間で封止状態を提供する。
【００１６】
図示の好適な構成では、第２端部キャップ５２は容器３０の閉じた端部側に隣接している。封止リング６０が、望ましくはこの第２端部キャップ５２と容器３０の内部表面４６の間に設けられており、これらの間に封止部６２を形成して、液体が汚い側から清潔な側に最初に媒体４８を通過せずに通過することを防止している。
【００１７】
図３に図示される好適な実施例では、Ｏ（オー）リング６４が第１端部キャップ５０によって規定される開口部６６の中に取り付けられている。このＯリング６４は、フィルタヘッド２２と共に封止部を形成して、、最初に濾過媒体４８を通ることなく汚い側から清潔な側に液体が通過することを禁止する。
【００１８】
前進の流動システムでは、浄化されるべき液体はフィルタヘッド２２から濾過されていない容積部６８の中に流れる。図３に図示のものでは、この容積部６８は容器３０の内部表面４６と濾過媒体４８の間の空間の容積となる。そして、濾過されるべき液体は媒体４８を通り抜け、このとき粒子状物質の通過が禁止され一般には捕捉される。そして、液体は中央管３４を通って流れ、次に容器カートリッジ入りフィルタ２４を出て、フィルタヘッド２２に入る。逆流システムでは、液体は最初に第１端部キャップ５０の開口部を通り、中央管３４に入り、濾過媒体４８を通り、容積部６８(ときに濾過された液体容積部となる)へ入り、容器カートリッジ入りフィルタ２４を出てフィルタヘッド２２に入る。
【００１９】
図３に図示のものでは、この特定の容器３０は、さらに容器カートリッジ入りフィルタ２４を保守するときに容器３０から液体の排出を補助する端部プラグ７０を含む。
【００２０】
望ましくは、中央管３４は容器カートリッジ入りフィルタ２４における永久的、使い捨てされない部材である。図３に図示された好適な事例では、中央管３４は容器３０の突起部７２に対して圧入されることで容器３０に固定される。この突起部７２は、一般に外側の環状表面７４を有した筒状に形成される。中央管３４は外側の環状表面７４に圧入により嵌合されて周りを取り囲むように外接される。この圧入は十分にきつく、しっかりと容器３０に中央管３４を固定することができるように固定されることで、フィルタカートリッジ３２が容器３０から取り外されるときに中央管３４が容器３０から取り外されることを防止する。
【００２１】
図３では、容器３０とフィルタカートリッジ３２が協働連動装置３０の間で噛み合っている様子が図示されており、この協働連動装置は容器３０をフィルタヘッド２２から取り外すのと同時にフィルタカートリッジ３２をフィルタヘッド２２から取り外すことを確実にすることを補助する。この点について、以下に詳しく述べる。
【００２２】
この図示された特定のフィルタカートリッジ３２は、第２端部キャップ５２で保持された濾過媒体７６の第２領域であって、容器カートリッジ入りフィルタ２４を保守する工程において濾過されていない液体の浄化を補助する領域をさらに含む。これらの特徴点は、２００１年４月２日に、米国特許出願番号第６０／２８０、７８７号、名称「フィルタ組立体用のフィルタカートリッジ」として出願された中により詳細に記載されているので、ここに参照のために盛込む。連動装置８０については、いかなる特定のフィルタカートリッジも３２であっても良い。図示されるフィルタカートリッジ３２は、単に一つの事例であり、多くの場合において、連動装置８０は第２媒体領域７６または上記の米国特許出願番号第６０／２８０、７８７号のほかの特徴点を備えていない。
【００２３】
図４を参照して、フィルタカートリッジ３２の事例が立体分解図で図示されている。図５においては、端部キャップ５２を有するフィルタカートリッジ３２の模式的な横断面が図示されている。図４と図５から分かるように、図示された媒体４８の延設部は一般に円筒形であり、第１端部８２とこれに対向する第２端部８４と開口した内部容積部８６とを備える。この第１端部８２は第１端部キャップ５０の内部表面８８に近接して接触しており、一方、第２端部８４は第２端部キャップ５２の内部表面９０に接触し、隣接して設けられている。望ましい構成では、媒体８２はセルロース、合成物質またはこれらの混合物から作られる。特定のシステムと応用分野に応じて、他の材料も使用されるであろう。
【００２４】
望ましい構成では、媒体４８の延設部は第１、第２端部キャップ５０、５２に対して例えば接着により固定される。多くの望ましい構成によれば、媒体４８は接着剤かまたはウレタンポッティング材料を介して第１、第２端部キャップに接着される。
【００２５】
図５に表現される特定のフィルタカートリッジ３２では、第１端部キャップ５０はハンドル部材９２を備える。ここで、種々の構成が提供されるかもしれないが、部材９２で表現した特定のハンドルは以下を備える。すなわち、(ｉ)端部キャップ５０の残る部分９６から軸方向に延設される突起部９４と、(ｉｉ)この突起部９４から延設される周辺縁部９８である。この突起部９４と縁部９８は、望ましくは残る部分９６から離れるように形成および所定形状を有するようにして人の指先が入るようにするか、またはこれに代えてハンドル部材９２を工具で握り、容器３０からフィルタカートリッジ３２を取り外すように構成される。
【００２６】
フィルタカートリッジ３２は、フィルタカートリッジ３２と容器３０の間の協働連動装置８０の連動装置１００を含む。図示の望ましい実施例では、このカートリッジ連動装置１００は、第２端部キャップ２の外側面１０２から延設されている。
【００２７】
一つの望ましいカートリッジ連動装置１００についてより詳細に図９〜図１１に図示されている。図示のカートリッジ連動装置１００は、容器３０と両立し協働できる容器３０の歯部構成１０４を形成している。この歯部構成１０４は、第２端部キャップ５２の外側面１０２から延設される少なくとも１つの歯部１０６を含む。望ましい実施例では、外側面１０２から延設される歯部構成１０４は少なくとも２つの歯部１０６を含む。図示される特定の実施例では、歯部構成１０４には１８個の歯部１０６が設けられている。ここで、多くの熟考された望ましい構成によれば、３０個未満であって通常は５〜２５個の歯部を含むであろう。フィルタカートリッジ３２がフィルタ容器３０に取り付けられて、容器３０がフィルタヘッド２２から容器カートリッジ入りフィルタ２４を取り除くための方向に回転されるときに、フィルタ容器３０に噛み合うように各歯部１０６は配置される。
【００２８】
ここで、図９〜図１２に図示される構成によれば多くの実施例が熟考されるが、各歯部１０６は望ましくは第１端部側面１１０と、第２端部側面１１１と、かかと部１１４と、足指部１１８と横側面１２４とを有する。これらの第１、第２端部側面１１０、１１１は容器３０からの回転式の力を受け入れる表面１１６を提供する。このようにして、各第１、第２端部側面１１０、１１１は、容器上の連動装置に対して充分な接触を行う大きな表面積を有するように構成される。図示される事例では、各第１、第２端部側面１１０、１１１は、一般に外側面１０２に対して垂直に延設されるか、この外側面１０２に対して８０〜１００度の間の角度で設けられる。
【００２９】
図示される実施例では、各歯部１０６は、それぞれにおいて、かかと部１１４から足指部１１８まで延設される第１、第２端部側面１１０、１１１を含む。またさらに、図示される実施例では、それぞれの横側面１２４もまたかかと部１１４から足指部１１８まで延設されている。各横側面１２４は、角部１２５、１２６を規定するためにそれぞれの第１、第２端部側面１１０、１１１で交差している。各横側面１２４もまた望ましくは外側面１０２から垂直に延設され、この外側面１０２に対して８０〜１００度の間の角度で設けられる。
【００３０】
依然として図９を参照して、各足指部１１８は第１、第２端部側面１１０、１１１の一方から延設される第１傾斜面１１２を少なくとも含み、この第１傾斜面は各端部側面１１０、１１１に対して望ましくは傾斜する角度を備えている。図示される特定の実施例では、各足指部１１８は、各歯部１０６の他の第１、第２端部側面１１０、１１１から延設される第２傾斜面１１３を備え、この第２傾斜面は各端部側面１１０、１１１に対して望ましくは傾斜する角度を備えている。
【００３１】
ここで、図１２を参照して、歯部１０６を破断して拡大して模式的に示した正面図が図示されている。第１傾斜面１１２の第１端部側面１１０に対する角度が参照附合αで示されている。同様に、第２傾斜面１１３が第２端部側面１１１に対して延設される角度が参照附合θで示されている。好適な構成では、角度αとθはお互いに同じである。他の実施例では、これらの角度は互いに異なるであろう。図示の特定の実施例では夫々の角度α、θは少なくとも１０度であり、６０度以下であって、通常は２０〜４５度である。角度αに用いられる好適な角度は、３０度である。依然として図１２において、各第１傾斜面１１２、１１３が交差して角部を規定することが分かる。かかと部１１４から角部１２８までの表面１０２から最も離れている部分までの各歯部１０６の全高は、少なくとも２ｍｍであり、１００ｍｍ以下であって、多くの場合において３〜２０ｍｍであり、図示の特定の実施例では７ｍｍである。
【００３２】
図９と図１２を参照することで、それぞれの歯部１０６は図面で表現されるように、５面の多角形の輪郭を有している。言い換えると「家形」である。この「家形」とは、長方形の上に三角形の形を有することを意味する。
【００３３】
図１１は、この特定の端部キャップ５２の他の特徴点について表現している。図示される端部キャップ５２は環状部分１３２を形成する外側の周辺壁部１３０と、軸方向面１２２を形成する端部壁部１３４とを含む。この端部壁部１３４は、フィルタカートリッジ３２を中央管３４に対して取り付けまたは取り外し可能にするための中央開口部１３６を規定する。内側の一対のリング部１３８、１４０は媒体延設部４８をそこに保持および支持するためのカップ部１４２を規定する。望ましい構成では、このカップ部１４２は端部キャップ５２に媒体４８を固定するためのウレタンポッティング材料を保持する。
【００３４】
ここで、図１０を参照して、図示される特定の実施例において、各歯部１０６は開口部１３６の周りに均等に設けられていることが分かる。図示のものでは、各歯部１０６は隣接する歯部１０６との間で中心を通過する角部１２８が角度βで設けられている。この角度βは、所望の歯部１０６の個数に応じて変化する。３つまたはより少ない歯部の場合には、角度βは９０度以上、１８０度以下となる。図示の特定の構造では、１８個の歯部１０６であり、角度βは少なくとも５度、４０度以下であり、通常は１０〜３０度であって、図示のものは２０度である。
【００３５】
ここで、図６〜図８において、容器３０の上の協働連動装置８０の一部が容器連動装置として概ね１５０で示されている。
【００３６】
図示された望ましい実施例では、この容器連動装置１５０は、カートリッジ連動装置１００と係合、噛み合うかまたは合致するように容器３０の内部５４の位置に配置されている。図６〜図８に図示するように、この容器連動装置１５０は容器３０の閉じた端部５６の内部の表面４６に位置している。
【００３７】
この容器連動装置１５０の好適な構成は、少なくとも１つの歯部１５４を有する歯構成１５２を具備する。望ましい構成では、少なくとも第１、第２歯部１５４を備えることになる。図示の特定の実施例では、１８個の歯部１５４が円形状に配置されており、各歯部１５４は均等に突起部７２の周辺において容器３０の底部１５６上に配置されている。多くの望ましい構成では、３０個以下の歯部１５４または通常は５〜２５個の歯部が設けられる。
【００３８】
各歯部１５４は、底部１５６から軸方向に延設または突出形成される。この突起形成部は歯部１５４がカートリッジ連動装置１００の歯部１０６に係合することを許容する。多くの実施例では、カートリッジ連動装置１００の歯部１０６の個数と、容器連動装置１５０の歯部１５４の個数は同じである。他の実施例では、カートリッジ連動装置１００の歯部１０６の個数が容器連動装置１５０の歯部の個数より少ないか多い場合がある。
【００３９】
図示される特定の実施例では、それぞれの歯部１５４は歯部１０６と同じ形を有している。すなわち、それぞれの歯部１０４は、第１、第２端部側面１５５、１５６と、横側面１５７と、かかと部１５８と、足指部１５９とを有している。この足指部１５９は、第１傾斜面１６０と第２傾斜面１６１を含んでいる。図示される特定の実施例では、第１と第２の傾斜面１６０、１６１は、端部側面１５５、１５６に対して図１２を参照して上述した同じ角度α、βをなしている。
【００４０】
図３は、カートリッジ連動装置１００と容器連動装置１５０を含む連動装置８０が協働して係合した様子を示している。特に、それぞれの歯部１０６と歯部１５４において、カートリッジ連動装置１００の端部側面１１０、１１１の一方が、容器連動装置１５０の端部側面１５５、１５６の一方に係合している。この様にして、容器３０をフィルタヘッド２２に対する螺合状態を解除するために、回転運動をするように容器３０がフィルタヘッド２２に対して回されると、容器３０の各歯部１５４の端部側面１５５、１５６の一方がカートリッジ連動装置１００の各歯部１０６の端部側面１１０、１１１の一方に対して係合および付勢することになる。この結果、容器３０の回転力がフィルタカートリッジ３２に伝達される。このことは、容器３０がフィルタヘッド２２から取り除かれているときにフィルタカートリッジ３２を容器３０から取り除くことを助長する。
【００４１】
濾過システム２０は以下の通りに利用される。動作可能に装着されたフィルタカートリッジ３２を有する容器３０を含む容器カートリッジ入りフィルタ２４がフィルタヘッド２２に取り付けられる。この操作は、フィルタヘッド２２と容器３０とがそれぞれのねじ山に噛み合うようにフィルタヘッド２２に対して容器３０を回転させることによって行われる。浄化されるべき液体は、フィルタヘッド２２を通り、容器カートリッジ入りフィルタ２４に入り、微粒子を捕捉する媒体４８を通過し、カートリッジ入りフィルタ２４を出て、フィルタヘッド２２の中に流れ、次にフィルタヘッド２２の外に出る。一区切りの使用の後に、濾過媒体４８が目詰まりし閉塞されることになる。この時点で、容器カートリッジ入りフィルタ２４が保守されるべきである。
【００４２】
この容器カートリッジ入りフィルタ２４を保守するために、容器カートリッジ入りフィルタ２４は装填するときとは逆方向にフィルタヘッドに対して回転されることで、フィルタヘッドから容器３０が外される。この容器３０がフィルタヘッドに対して回転される一方で、同時にカートリッジフィルタ３２がフィルタヘッド２２に対して回転されることでカートリッジフィルタ３２がフィルタヘッド２２から外される。このようにフィルタヘッド２２に対してフィルタカートリッジ３２を同時に回転させる工程は、容器３０の連動装置１５０を用いてカートリッジフィルタ２３の第２端部キャップ５２から延設された連動装置１００に対して回転運動を与えることを含む。特に、各歯部１５４の端部側面１５５、１５６の一方がカートリッジ連動装置１００に設けられた各歯部１０６の端部側面１１０、１１１に対して係合し押圧することになる。
【００４３】
フィルタヘッド２２から容器カートリッジ入りフィルタ２４が取り除かれた後に、フィルタカートリッジ３２のハンドル部材９２を握り、容器３０から開口部５８を介して引き抜くことによって取り外される。この引く行為は、またフィルタカートリッジ３２と容器３０の間の封止部６２を解除する。
【００４４】
フィルタカートリッジ３２が容器３０から取り除かれると、フィルタカートリッジ３２は廃棄される。望ましい構成では、このフィルタカートリッジ３２は少なくとも９５％分について非金属系の材料から構成され、より望ましくは１００％分が非金属系材料から作られる。このような非金属系材料は、フィルタカートリッジ３２を焼却処分できることとなる。
【００４５】
新しいフィルタカートリッジ３２が、続いて容器３０の内部に装着される。この操作はフィルタカートリッジ３２を容器３０の開口端部５８を通して配置させ、中心管３４の上を滑らせることで行われる。歯部構成１５２が歯部構成１０４と噛合するか係合することで連動装置１００は、連動装置１５０と整列する状態になる。フィルタカートリッジ３２と容器３０の間の封止部６２が形成される。このようにして、新しくされた容器カートリッジ入りフィルタ２４が提供され、そしてフィルタヘッド２２に装着される。
【００４６】
Ｃ．図１３〜図１５に図示の構成
図１３〜図１５には、端部キャップ２００上に設けられるカートリッジ連動装置１００の代替の実施例が図示されている。この特定の実施例によれば、それぞれの歯部２０６は端が欠けている「Ａ」形を有している。このために、各歯部２０６は第１端部側面２０８と、第２端部側面２０９と横側面２１０と足指部２１２とを含んでいる。図示の構成では、足指部２１２は滑らかで曲がっており、第１端部側面２０８と第２端部側面２０９との間を掛け渡しているかまたは接続している。
【００４７】
各歯部２０６は、またかかと部２１４を含み、このかかと部は外側面２１３と各第１端部側面２０８と第２端部側面２０９と横側面２１０の間で橋渡しするように形成される。この事例では、このかかと部２１４は、第１、第２および第３傾斜面２１５、２１６、２１７を含む。この第１傾斜面２１５は、外側面２０８と第１端部側面２０８の間の変遷部を形成する。 同様に、第２傾斜面２１６は外側面２１３と横側面２１０との間の変遷部を形成する。最後に、第３傾斜面２１７は外側面２１３と第２端部側面２０９の間の変遷部を形成する。
【００４８】
図１４を参照して、１８個の歯部２０６を備える特定の実施例が図示されていることが分かる。各歯部２０６は、一般に中央開口部２１８の周りに歯部２０６同志が互いに均等に区切られている。ここに述べるように、図１３〜図１５に図示した端部キャップ２００を使用してフィルタ容器連動装置１５０に対して係合できる。換言すれば、この端部キャップ２００は、同じ形状の歯部２０６を有したフィルタ容器連動装置に係合するように使用される。
【００４９】
Ｄ．図１６〜図２１に図示の構成
図１６〜図２１において、図示の代替の端部キャップ５５２を使用したカートリッジ連動装置１００の実施例が図示されている。この場合、図１６〜図１８に図示された構成では、望ましくは各歯部５０６は端部側面５１０と傾斜面５１２とかかと部５１４を含む。端部側面５１０は、容器３０から伝達される回転式の力を受け入れるための面５１６を提供する。このように、端部側面５１０は容器３０の連動装置に対して重要な接触状態を得るために充分な面積を有するように望ましくは構成される。図示される事例では、端部側面５１０は外側面５０２に対して概ね垂直方向に延設され、外側面５０２に対して８０〜１００度の角度の間で設けられる。
【００５０】
この端部側面５１０は、端部側面５１０の端部に足指部５１８を規定している。かかと部５１４から足指部５１８に向けて望ましくは傾斜面５１２が少なくとも部分的に延設される。この傾斜面５１２は、端部側面５１０に対して傾斜角度を有するように図面では図示されているが、他の構成では歯部５０６が長方形であって、非傾斜面５１２を有する場合もある。
【００５１】
図示の構成では、かかと部５１４（図１７）は、歯部５０６と端部キャップ５５２の外側面５０２が交差する接合点５２０に位置している。この傾斜面５１２はかかと部５１４から始まる端部側面５１０に対して傾斜角度を有して傾けられている。望ましい構成によれば、傾斜面５１２は、通常は少なくとも９２度、１６０度以下、一般的には９５〜１５０度の角度で傾けられる。多くの構成では、この角度は９５〜１２０度である。第２端部キャップ５５２の軸方向面５２２に対して測定された場合には、この角度は上記の角度から９０度引かれるので、少なくとも２度、７０度以下、通常は３〜６０度であって、多くの場合の構成では５〜３０度の間となる。
【００５２】
図示の歯部５０６は、外側面５０２から傾斜面５１２に延設される一対の横側面５２４、５２６をさらに含み、これらは端部側面５１０の構造上の支持部を提供する。図１６に図示されるように、図示の特定の横側面５２４は横側面５２６のための形状に似ている概ね三角形の形を有している。さらに、図示される特定の構成では、各歯部５０６はさらに傾斜面５１２から足指部５１８にかけて延設されるランド部５２８と端部側面５１０を規定している。このランド部５２８は、横側面５１０と傾斜面５１２の間の変遷部を提供して、鋭利な角部または他の突起部をなくしており、容器カートリッジ入りフィルタ２４の他の構成要素を傷つけないようにしている。
【００５３】
図１６を参照することで、各歯部５０６はくさび形のパイ部分であることが分かる。各くさび形のパイ部分は第２端部キャップ５２２の外側面５０２から外側に向け、さらに第２端部キャップ５５２の外側面５０２の軸方向面５２２から軸方向に延設されている。
【００５４】
図１８は、この特定の端部キャップ５５２の他の特徴点について図示されている。図示される端部キャップ５５２は、環状部分５３２を形成する外側の周辺壁部５３０と、軸方向面５２２を形成する端部壁部５３４とを含む。この端部壁部５３４は、フィルタカートリッジ３２が中央管３４の上に取り付けられてから降下されることを許容する中央開口部５３６を規定する。内側の一対のリング部５３８、５４０は媒体延設部４８をそこに保持および支持するためのカップ部５４２を規定する。望ましい構成では、このカップ部５４２は端部キャップ５５２に対して媒体４８を固定するためのウレタンポッティング材料を保持する。図示の実施例では、各歯部５０６は開口部５３６の周りに均等に区切られて配置されている。各歯部は軸方向表面５２２から少なくとも２ｍｍ、２０ｍｍ以下、望ましくは３〜５ｍｍ分延設されている。一般に、この寸法は端部側面５１０の全高と対応することになる。
【００５５】
図１９は、代替の端部キャップ５５２を備えたフィルタカートリッジ３２の立体分解図である。代替の端部キャップ５５２を除いて、このフィルタカートリッジ３２は図４に基づき記述したものと同じである。
【００５６】
図２０と図２１は、容器６３０とこれに含まれる代替の容器連動装置１５０について図示されており、この連動装置は端部キャップ５５２の代替の連動装置と合致するか噛合するように構成されている。容器６３０の連動装置１５０は複数の歯部６６４を含み、各歯部は端部キャップ５５２用の歯部に係合するように同じ形状を備える。すなわち、各歯部６６４は、端部側面６６８と傾斜面６６０とかかと部６６２と足指部６６４と一対の横側面６６６、６６８と上部ランド部６７０を含む。
【００５７】
端部キャップ５５２の連動装置１００に対して係合し噛み合うように、各歯部６６４は容器６４０の底面６５６から充分に延設される。図２０から分かるように、各歯部６５４は、突起部６７２の周りに均等に区切られた状態で設けられる。各歯部６５４は下部の底面６５６から少なくとも２ｍｍ、２０ｍｍ以下、多くの場合は、３〜５ｍｍ分延設されている。一般に、これらは端部側面６５８の全高に対応している。
【００５８】
Ｅ.図２２〜図３１の構成
図２２〜図３１は、容器カートリッジ入りフィルタの別の実施例を図示している。この容器カートリッジ入りフィルタは、容器３０４（図２８〜図３０）の内部においてフィルタカートリッジ３０２が上述のように移動可能かつ交換可能に設けらている点において上記の構成に類似している。
【００５９】
図２２において、図示される特定のフィルタカートリッジ３０２は、第１端部キャップ３０６と第２端部キャップ３０８の間に延設される濾過媒体３０５の延設部を含む。この濾過媒体３０５は、内側の支持管またはインナーライナ３１０で支持される。このカートリッジフィルタ３０２は、第１端部キャップ３０６の開口部３１４の中に取り付けられたＯ（オー）リング３１２を含み、図１〜図１２における実施例に関連して述べたようにフィルタヘッド２２との間で封止部を形成する。
【００６０】
図示の端部キャップ３０８は、外側の周囲壁部３１８を形成する環状部分３２０と、軸方向面３２４を形成する端部壁部３２２とを含む。この実施例では、端部壁部３２２は、閉じた表面３２６を形成するために固体の非多孔性である。この閉じた表面３２６は、強度を端部キャップ３０８に対して提供するためにベーン部３２８を規定している。またさらに、端部壁部３２２から第１端部キャップ３０６にかけて延設された突起部３３０が設けられており、内部の強度をフィルタカートリッジ３０２に提供している。
【００６１】
以上の実施例のように、図２２〜図３１における容器カートリッジ入りフィルタによれば、容器３０４がフィルタヘッド２２から取り除かれると同時にフィルタヘッド２２からフィルタカートリッジ３０２の取り外しを確実にする連動装置８０を含んでいる。このフィルタカートリッジ３０２は、容器３０４の連動装置８０と協働する連動装置１００を含む。図２２〜図３１に図示の実施例では、カートリッジの連動装置１００は第２端部キャップ３０８の外側面３１６から延設されている。特に、連動装置１００は環状部分３２０から延設されている。
【００６２】
上記の実施例のように、図示のカートリッジ連動装置１００は歯部構成１０４を形成して、容器３０４の構成と協働作用するように構成される。この歯部構成１０４には、第２端部キャップ３０８の外側面３１６から延設される少なくとも１個の歯車（cog)または歯部３３２を含む。この特定の実施例では、それぞれの歯部３３２は、第２端部キャップ３０８の外側面３１６の環状部分３２０から延設されている。図１〜図１２の実施例のように、この実施例における歯部３３２については５面の多角形の輪郭を有するように図示されている。言い換えれば、「家形」に形成されている。ここで、この歯部には他の形状品を使用することができ、図１３〜図２１に基づき記述した形状品であってもよいことは言うまでもない。
【００６３】
各歯部３３２は、第１端部側面３３４と第２端部側面３３６と横側面３３８とかかと部３４０と足指部３４２とを含む。第１と第２端部側面３３４、３３６はかかと部３４０から足指部３４２にかけて延設される。横側面は、かかと部３４０から足指部３４２にかけて延設されており、各第１、第２端部側面３３４、３３６において交差している。この足指部３４２は、第１端部側面３３４から延設され、第１端部側面３３４に対して傾斜角度を有する第１傾斜面３４４を含む。この足指部３４２は、さらに第２端部側面３３６から延設され、第２端部側面３３６に対して傾斜角度を有する第２傾斜面３４６を含む。
【００６４】
図２６において、第１端部側面３３４に対する第１傾斜面３４４と第２端部側面３３６に対する第２傾斜面３４６の角度３４８、３５０が図示されている。望ましい構成では、これらの角度３４８、３５０は互いに等しい。他の実施例では、これらの角度は互いに異なるであろう。それぞれ図示される角度は、特定の実施例では、各角度３４８、３５０は少なくとも１０度、６０度以下、通常は２０〜４５度の間である。角度３４８、３５０の角度に使用される望ましい角度は３０度である。引き続き、図２６において、傾斜面３４４と３４６は交差しており角部３５２を規定することが分かる。各歯部３３２のかかと部３４０からこの角部３５２までの全高は少なくとも２ｍｍであり、１００ｍｍ以下、多くの場合において３〜２０ｍｍであり、図示の事例では９ｍｍである。
【００６５】
図２５は、特定の実施例が図示されており、少なくとも２つの歯部３３２が設けられており、望ましくは少なくとも３つの歯部３３２、あるいは図示のように４つの歯部３３２が設けられる。各歯部３３２は、環状部分３２０の周りに均等に割り付けられている。図示の事例では、それぞれの歯部３３２の間は９０度の角度の隔たりがある。
【００６６】
ここで、図２９〜図３１において、容器３０４の上の協働連動装置８０の一部は、一般に１５０で容器連動装置として表現されている。上記の実施例では、容器連動装置１５０は、少なくとも１個の歯部３６０を有する歯部構成１５２を備える。望ましい構成によれば、少なくとも第１と第２の歯部３６０が設けられるであろう。特定の実施例では、４つの歯部３６０が円周上に形成されており、それぞれの歯部は容器３０４の底面３６４に沿った突起部３６２の周りで均等に区切られている。この突起部３６２は、第２端部キャップ３０８によって規定される凹部３２９（図２２）に受け取られる。
【００６７】
各歯部３６０は、容器３０４の側壁３６８の内部の表面３６６から軸方向に延設されるかまたは突出形成される。この構成は歯部３６０にカートリッジ連動装置１００の歯部３３２を係合させる。多くの実施例では、歯部３３２としての歯部３６０と同じ数が設けられる。他の実施例では、カートリッジ連動装置１００と容器連動装置１５０の歯部の個数はより少ない場合またはより多い場合がある。
【００６８】
特に、図３１で図示した特定の実施例では、各歯部３６０、３３２はそれぞれと同じ形を有している。具体的には、歯部３６０は、第１と第２端部側面３７０、３７１と横側面３７２とかかと部３７３と足指部３７４を含む。この足指部３７４は第１傾斜面３７５と第２傾斜面３７６とを含む。第１と第２傾斜面３７５、３７６は端部側面３７０、３７１に対して、図２６で述べたように同じ傾斜角度の角度３４８、３５０で傾けられている。
【図面の簡単な説明】
【００６９】
【図１】は、この開示の原理により構成され、フィルタヘッドに固定された容器カートリッジ入りフィルタの実施例の外観斜視図である。
【図２】は、図１に表現された容器カートリッジ入りフィルタの立体分解図である。
【図３】は、図１に表現された容器カートリッジ入りフィルタをフィルタヘッドに固定していない状態を模式的に示した横断面図である。
【図４】４は、図２と図３に表現されたカートリッジフィルタの立体分解図である。
【図５Ａ】は、図４と図５に表現されたフィルタカートリッジの端面図である。
【図５Ｂ】は、カートリッジフィルタを図３に表現されたフィルタ容器から取り外した状態を模式的に示した横断面図である。
【図６】は、図１から図３に表現されたフィルタ容器を部分的に破断して模式的に示した外観斜視図である。
【図７】は、図１から図３に表現されたフィルタ容器の平面図である。
【図７Ａ】は、図６から図８に表現されたフィルタ容器で利用される３つの歯部について、図７の線７Ａ−７Ａに沿って破断し、模式的に示した一部拡大側面図である。
【図８】は、図７の線８−８に沿って破断して示したフィルタ容器の模式的な横断面図である。
【図９】は、図２、図４と図５に表現されたフィルタカートリッジの一部として利用される端部キャップの外観斜視図である。
【図１０】は、図９に表現された端部キャップの平面図である。
【図１１】は、図１０の線１１−１１に沿って破断して示した端部キャップの横断面図である。
【図１２】は、図９〜図１１に表現された端部キャップで利用される３つの歯部を一部破断して拡大して模式的に示した正面図である。
【図１３】は、図２〜図５に表現されたフィルタカートリッジの一部として利用される場合がある端部キャップの代替の実施例の外観斜視図である。
【図１４】は、図１３に表現された端部キャップの平面図である。
【図１５】は、図１３と図１４に表現された端部キャップの正面図である。
【図１６】は、図２〜図５に表現されたカートリッジフィルタの一部として利用される場合がある代替の端部キャップの外観斜視図である。
【図１７】は、図１６に表現された端部キャップの平面図である。
【図１８】は、図１７の線１８−１８に沿って破断し、模式的に示した端部キャップの横断面図である。
【図１９】は、図１６〜図１８に示された端部キャップを設けたフィルタカートリッジの立体分解図である。
【図２０】は、図１６〜図１９の端部キャップで使用可能なフィルタ容器の代替の実施例の平面図である。
【図２１】は、図２０に表現されたフィルタ容器の一部を破断し、模式的に示した外観斜視図である。
【図２２】は、この開示の原理により構成されたカートリッジフィルタの別の実施例の立体分解図である。
【図２３】は、図２２に表現されたカートリッジフィルタが組み立てられたときの平面図である。
【図２４】は、図２３の線２４−２４に沿って破断し、図２２と図２３に表現されたカートリッジフィルタの横断面図である。
【図２５】は、図２２〜図２４に表現されたカートリッジフィルタの底面図である。
【図２６】は、図２２〜図２４に表現されたカートリッジフィルタ用の端部キャップの部分を模式的に拡大した側面図である。
【図２７】は、図２２〜図２５に表現されたカートリッジフィルタ上で利用される端部キャップの外観斜視図である。
【図２８】は、図２２〜図２５に表現されたフィルタカートリッジとともに使用されるフィルタ容器の外観斜視図である。
【図２９】は、図２８に表現されたフィルタ容器の横断面図である。
【図３０】は、図２８に表現されたフィルタ容器の平面図である。
【図３１】は、図３０の線３１−３１に沿って破断し、フィルタ容器の内面の部分について模式的に断片的に拡大した側面図である。
【図１】
2004532101.tif 000003
【図２】
2004532101.tif 000004
【図３】
2004532101.tif 000005
【図４】
2004532101.tif 000006
【図５Ａ】
2004532101.tif 000007
【図５Ｂ】
2004532101.tif 000008
【図６】
2004532101.tif 000009
【図７】
2004532101.tif 000010
【図７Ａ】
2004532101.tif 000011
【図８】
2004532101.tif 000012
【図９】
2004532101.tif 000013
【図１０】
2004532101.tif 000014
【図１１】
2004532101.tif 000015
【図１２】
2004532101.tif 000016
【図１３】
2004532101.tif 000017
【図１４】
2004532101.tif 000018
【図１５】
2004532101.tif 000019
【図１６】
2004532101.tif 000020
【図１７】
2004532101.tif 000021
【図１８】
2004532101.tif 000022
【図１９】
2004532101.tif 000023
【図２０】
2004532101.tif 000024
【図２１】
2004532101.tif 000025
【図２２】
2004532101.tif 000026
【図２３】
2004532101.tif 000027
【図２４】
2004532101.tif 000028
【図２５】
2004532101.tif 000029
【図２６】
2004532101.tif 000030
【図２７】
2004532101.tif 000031
【図２８】
2004532101.tif 000032
【図２９】
2004532101.tif 000033
【図３０】
2004532101.tif 000034
【図３１】
2004532101.tif 000035
【国際公開パンフレット】
2004532101.tif 000036
2004532101.tif 000037
2004532101.tif 000038
2004532101.tif 000039
2004532101.tif 000040
2004532101.tif 000041
2004532101.tif 000042
2004532101.tif 000043
2004532101.tif 000044
2004532101.tif 000045
2004532101.tif 000046
2004532101.tif 000047
2004532101.tif 000048
2004532101.tif 000049
2004532101.tif 000050
2004532101.tif 000051
2004532101.tif 000052
2004532101.tif 000053
2004532101.tif 000054
2004532101.tif 000055
2004532101.tif 000056
2004532101.tif 000057
2004532101.tif 000058
2004532101.tif 000059
2004532101.tif 000060
2004532101.tif 000061
2004532101.tif 000062
2004532101.tif 000063
2004532101.tif 000064
2004532101.tif 000065
2004532101.tif 000066
2004532101.tif 000067
2004532101.tif 000068
2004532101.tif 000069
2004532101.tif 000070
2004532101.tif 000071
2004532101.tif 000072
2004532101.tif 000073
2004532101.tif 000074
2004532101.tif 000075
2004532101.tif 000076
2004532101.tif 000077
2004532101.tif 000078
2004532101.tif 000079
2004532101.tif 000080
2004532101.tif 000081
【国際調査報告】
2004532101.tif 000082
2004532101.tif 000083